(57)【要約】【課題】  従来のペット用給水装置では、給水ノズルは、貯水容器やホース取付部等の支持部位に対して固定的に取り付けられているため、ペットが水を飲む際に拘束を与えている。【解決手段】  そこで本発明では、弁機構を設けた給水ノズルを貯水容器の底部から突出構成した給水装置において、貯水容器の底部には、給水ノズルの周囲に同心円状の波形可動部を形成するか、あるいは側部に蛇腹状の波形可動部を形成したペット用給水装置装置を提案する。【選択図】      図１
2006081404.tif 000002
【特許請求の範囲】
【請求項１】
弁機構を設けた給水ノズルを貯水容器の底部から突出構成した給水装置において、貯水容器の底部には、給水ノズルの周囲に同心円状の波形可動部を形成したことを特徴とするペット用給水装置
【請求項２】
弁機構を設けた給水ノズルを貯水容器の底部から突出構成した給水装置において、貯水容器の側部には蛇腹状の波形可動部を形成したことを特徴とするペット用給水装置
【請求項３】
波形可動部は弾性により中立位置に復帰可能に構成したことを特徴とする請求項１又は２に記載のペット用給水装置
【請求項４】
貯水容器の底部にねじ部を形成した開口部を設けると共に、この開口部に螺合するキャップに弁機構を内蔵した給水管を設けて給水ノズルを突出構成したことを特徴とする請求項１〜３までのいずれか１項に記載のペット用給水装置
【発明の詳細な説明】
【技術分野】
【０００１】
本発明は、犬や猫等のペット用の給水装置に関するものである。
【背景技術】
【０００２】
ペットを連れて散歩に行ったり、行楽等のために外出した際、外出先においてペットに水を飲ませたり、自宅等において所定の場所に固定して使用し、ペットが自分で水を飲めるようにした給水装置が従来から各種提案されている。
【０００３】
例えば特許文献１は、鑑賞飼育容器の側壁等に沿って配置可能な扁平な貯水容器の底部から弁機構を設けた給水ノズルを斜め下方に突出させた構成の小動物用給水装置に関するもので、給水ノズルは、貯水容器の底部に雄ねじ部を備えた開口部を形成すると共に、この開口部の雄ねじ部と螺合させる雌ねじ部を設けたキャップに給水管を設けて構成しており、給水管の先端には、球状弁体と、それが着座する弁座とから成る弁機構が設けられており、ペット等の動物が水を飲む際に口で球状弁体を動かすことにより自動的に給水管の先端から給水可能としたものである。
【０００４】
また特許文献２には、特許文献１と同様な弁機構、即ち、球状弁体と、それが着座する弁座とから成る弁機構と給水口を形成したキャップを、貯水容器として利用する市販品のペットボトルに螺合させて使用する給水装置が提案されている。
【０００５】
また特許文献３には、ペット等の動物が水を飲む自己の行為によって自動的に給水ノズルからの給水を可能とする弁機構の他の構成が提案されている。即ち、この特許文献３の弁機構は、給水ノズルの上流側の弁機構構成個所に、弁座としてのＯーリングを設けると共に、それに着座する円板状の弁本体に作動棒体を給水ノズルの開口方向に突設し、また作動棒体とは逆側に、弁本体を弁座に着座させる方向に押圧支持する弾性ダイアフラムを設けた構成であり、この構成ではペット等の動物が水を飲む際に口で作動棒体を横方向に動かすことにより、弁本体を弁座に対して傾けて、給水ノズルの先端から給水可能としたものである。尚、この給水装置では、弁機構構成個所の上流側にはホース取り付け部が構成されている。
【特許文献１】特開平１０−２６２４８４号公報
【特許文献２】特開平１１−３０１７２２号公報
【特許文献３】米国特許第３５５０５６０号明細書
【発明の開示】
【発明が解決しようとする課題】
【０００６】
以上の従来の給水装置では、給水ノズルは、貯水容器やホース取付部等の支持部位に対して固定的に取り付けられている。
【０００７】
このため、貯水容器又はホース取付部が所定位置に固定された状態でペットが自分で水を飲む場合は勿論のこと、貯水容器を手で持った状態でペットに給水する場合においても、ペットにとっては給水ノズルは実質的に不動であるから、水を飲む際に拘束を与えることになる。このため、例えば自動車内で給水している際に、車が揺れる等で、手で持っている貯水容器が動くとペットの口を傷つけてしまうことも起こり得る。
本発明はこのような課題を解決した給水装置を提供することを目的とするものである。
【課題を解決するための手段】
【０００８】
上述した課題を解決するために本発明では、弁機構を設けた給水ノズルを貯水容器の底部から突出構成した給水装置において、貯水容器の底部には、給水ノズルの周囲に同心円状の波形可動部を形成したペット用給水装置を提案する。
【０００９】
また本発明では、弁機構を設けた給水ノズルを貯水容器の底部から突出構成した給水装置において、貯水容器の側部には蛇腹状の波形可動部を形成したペット用給水装置を提案する。
【００１０】
そして本発明では、以上の構成において、波形可動部は弾性により中立位置に復帰可能に構成することを提案する。
【００１１】
更に本発明では、以上の構成において、貯水容器の底部に、ねじ部を形成した開口部を設けると共に、この開口部に螺合するキャップに弁機構を内蔵した給水管を設けて給水ノズルを突出構成することを提案する。
【発明の効果】
【００１２】
本発明においては、底部に給水ノズルを突出構成している貯水容器は、給水ノズルを突出構成している部分と他の部分との間に波形可動部を形成しているので、貯水容器の他の部分を所定位置に固定したり、又は手に持った状態でペットに給水する場合、給水ノズルは波形可動部により、上記他の部分に対して運動することが可能である。
【００１３】
従ってペットが給水ノズルから水を飲む際、体の動きによって給水ノズルとの間に外力が生じた場合には、それによって給水ノズルが運動するので、外力が緩和され、従って拘束を緩和する。
【００１４】
波形可動部は弾性により中立位置に復帰可能に構成すれば、給水ノズルを予め最適位置として設定した中立位置に自動的に復帰させることができる。
【発明を実施するための最良の形態】
【００１５】
貯水容器の底部に、ねじ部を形成した開口部を設けると共に、この開口部に螺合するキャップに弁機構を内蔵した給水管を設けて給水ノズルを突出構成するものとすると、波形可動部を備えた貯水容器をポリエステル樹脂等により容易に製作することができる。
【実施例１】
【００１６】
次に本発明の実施例を添付図面を参照して説明する。
まず図１〜図６は本発明の給水装置の第１の実施例を示すものである。
符号１は貯水容器であり、この貯水容器１は底部ａにねじ部２を形成した開口部３を形成すると共に、上部ｂにも蓋４付きの開口部５を形成している。そして更に底部ａの開口部３の周囲には同心円状の波形可動部６を形成している。図の例では、波形可動部６は三角波状の凹凸が１．５周期分形成されている。
【００１７】
これらの要素を有する貯水容器１は、例えばポリエチレンテレフタレート（ＰＥＴ）等のポリエステル樹脂や、その他の合成樹脂の一体成形により構成することができる。
【００１８】
符号７は給水ノズルであり、この給水ノズル７は、上記開口部３のねじ部２に螺合するねじ部８を設けたキャップ９に弁機構（後述）を内蔵した給水管１０を設けた構成である。
【００１９】
この給水ノズル７の弁機構の一例を図５、図６につき説明すると、この弁機構は、給水管１０の上流側の弁機構構成個所に、環状弁座１１を設け、その上流側に着座する円板状の弁本体１２を設けると共に、この弁本体１２には作動棒体１３を給水管１０の開口方向に突設し、作動棒体１３に形成したばね押さえ１４と、環状弁座１１の設置個所の下流側との間に介装した圧縮コイルばね１５により、作動棒体１３を介して弁本体１２を環状弁座１１に圧接する方向に付勢した構成である。尚、符号１６は作動棒体１３の先端に必要に応じて設ける作動突部である。
【００２０】
以上の構成の給水ノズル７のキャップ９を、上記貯水容器１の開口部３のねじ部２に螺合して取り付けることにより、図１、図３及び図５に示す使用態様とすることができる。
【００２１】
以上の構成において、貯水容器１には蓋４を開けて上部の開口部５から水を入れ、そして貯水容器１を、支持金具等により所定位置に固定したり、あるいは手に持った状態で給水ノズル７の先端側をペットの口元に移動して給水を行う。
【００２２】
ペットが給水ノズル７の先端側にふれていない状態では、図５に示すように、弁本体１２は圧縮コイルばね１５により付勢されて環状弁座１１に当接しているため弁機構は閉状態であり、従って貯水容器１内の水は給水ノズル７の先端側から流出しない。
【００２３】
そこで犬等のペットが給水ノズル７の先端側に口をつけ、口や舌等が作動突部１６に当たると、作動棒体１３はてこの原理により比較的小さな力で傾動する。このため弁本体１２が環状弁座１１に対して傾いて隙間が生じるため、貯水容器１内の水が、この隙間を通して流出し、従って給水管１０の先端部から給水することができる。
【００２４】
この給水状態において、ペットが給水ノズル７の給水管１０の先端から水を飲む際、体の動きによって給水ノズル７の給水管１０との間に外力が生じた場合には、貯水容器１の給水ノズル７の周囲に同心円状の波形可動部６を形成しているため、図４に示すように上記外力によって給水ノズル７が波形可動部６の個所において傾動するので、給水管１０とペットの口との間の外力が緩和され、従って水を飲んでいる際のペットの拘束が緩和される。
【００２５】
貯水容器１は、上述したとおり、波形可動部６を含めて合成樹脂の一体成形に構成した場合、波形可動部６は材質の弾性により、図４に示す状態に変形した場合にも図１及び図３に示す中立位置に復帰するので、給水ノズル７を予め最適位置として設定した中立位置、即ち図１及び図３に示す位置に自動的に復帰させることができる。
【実施例２】
【００２６】
次に図７〜図１０は本発明の給水装置の第２の実施例を示すものである。この第２の実施例は、第１の実施例において、給水ノズル７の周囲に形成した同心円状の波形可動部６に代えて、貯水容器１の側部に蛇腹状の波形可動部６’を形成したことを特徴とするものであり、その他の構成は第１の実施例と同様であるため、対応する構成要素には同一の符号を付して、それらに対しての重複する説明は省略する。
【００２７】
この第２の実施例では、第１の実施例と同様に、給水状態において、ペットが給水ノズル７の給水管１０の先端から水を飲む際、体の動きによって給水ノズル７の給水管１０との間に外力が生じた場合には、貯水容器１の側部に波形可動部６’を形成しているため、上記外力によって貯水容器１の下部が給水ノズル７と共に波形可動部６’の個所において、図７及び図８の状態から図９又は図１０の状態に傾動するので、給水管１０とペットの口との間の外力が緩和され、従って水を飲んでいる際のペットの拘束が緩和される。
【実施例３】
【００２８】
次に図１１は本発明の第３の実施例を示すものである。この第３の実施例では、第１、第２の実施例とは異なり、貯水容器１’は、上部に開口部を設けておらず、給水ノズル７’のキャップ９を装着する開口部３のみを形成している。一方、給水ノズル７’は、第１及び第２の実施例のように、キャップ９に対して給水管１０が傾斜していない。その他の構成は第１及び第２の実施例と同様であるので、対応する構成要素には同一の符号を付して重複する説明は省略する。
【００２９】
この第３の実施例では、給水ノズル７’のキャップ９を外した状態で開口部３から貯水容器１内に水を入れた後、給水ノズル７’のキャップ９を装着して図に示すような使用態様とすることができる。
【００３０】
しかして、この第３の実施例では、上記第１、第２の実施例と同様に、給水状態において、ペットが給水ノズル７’の給水管１０の先端から水を飲む際、体の動きによって給水ノズル７の給水管１０との間に外力が生じた場合には、貯水容器１の側部に波形可動部６’を形成しているため、上記外力によって貯水容器１の下部が給水ノズル７と共に波形可動部６’の個所において、図７及び図８の状態から図９又は図１０の状態に傾動するので、給水管１０とペットの口との間の外力が緩和され、従って水を飲んでいる際のペットの拘束が緩和される。
【００３１】
この第３の実施例における貯水容器１の側部の波形可動部６’に代えて、第１の実施例と同様に開口部３の周囲に同心円状の波形可動部を設けることもできる。
【００３２】
また本発明において給水ノズルに構成する弁機構は、図５及び図６に示す構成のものの他、例えば上記特許文献１又は２に示すような球状弁体を用いたものを適用することもできる。
【産業上の利用可能性】
【００３３】
本発明のペット用給水装置は、以上の通り、底部に給水ノズルを突出構成している貯水容器は、給水ノズルを突出構成している部分と他の部分との間に波形可動部を形成しているので、貯水容器の他の部分を所定位置に固定したり、又は手に持った状態でペットに給水する場合、給水ノズルは波形可動部により、上記他の部分に対して運動することが可能であることから、以下に示すような利点があり、産業上の利用可能性が大である。
【００３４】
１．ペットが給水ノズルから水を飲む際、体の動きによって給水ノズルとの間に外力が生じた場合には、それによって給水ノズルが運動するので、外力が緩和され、従って拘束を緩和することができる。このため、例えば自動車内で給水している際に、車が揺れる等で、手で持っている貯水容器が動いてもペットの口を傷つけてしまうことをふせぐことができる。
【００３５】
２．波形可動部は弾性により中立位置に復帰可能に構成すれば、給水ノズルを予め最適位置として設定した中立位置に自動的に復帰させることができる。
【００３６】
３．貯水容器の底部に、ねじ部を形成した開口部を設けると共に、この開口部に螺合するキャップに弁機構を内蔵した給水管を設けて給水ノズルを突出構成するものとすると、波形可動部を備えた貯水容器をポリエステル樹脂等により容易に製作することができる。
【図面の簡単な説明】
【００３７】
【図１】本発明に係るペット用給水装置の第１の実施例の全体斜視図である。
【図２】本発明に係るペット用給水装置の第１の実施例の貯水容器の底部の構成を示す部分断面図である。
【図３】本発明に係るペット用給水装置の第１の実施例の全体の正面図である。
【図４】本発明に係るペット用給水装置の第１の実施例の使用状態の正面図である。
【図５】本発明に係るペット用給水装置に用いる給水ノズルの一例を示す断面図である。
【図６】本発明に係るペット用給水装置に用いる給水ノズルの一例を、図５とは別の局面で示した断面図である。
【図７】本発明に係るペット用給水装置の第２の実施例の全体斜視図である。
【図８】本発明に係るペット用給水装置の第２の実施例の全体の正面図である。
【図９】本発明に係るペット用給水装置の第２の実施例の全体を図８とは別の局面で示す正面図である。
【図１０】本発明に係るペット用給水装置の第２の実施例の全体を図８、図９とは別の局面で示す正面図である。
【図１１】本発明に係るペット用給水装置の第３の実施例の全体の構成と動作を示す正面図である。
【符号の説明】
【００３８】
１                      貯水容器
２                      ねじ部
３                      開口部（底部）
４                      蓋
５                      開口部（上部）
６、６’                波形可動部
７、７’                給水ノズル
８                      ねじ部
９                      キャップ
１０                    給水管
１１                    環状弁座
１２                    弁本体
１３                    作動棒体
１４                    ばね押さえ
１５                    圧縮コイルばね
１６                    作動突部
【図１】
2006081404.tif 000003
【図２】
2006081404.tif 000004
【図３】
2006081404.tif 000005
【図４】
2006081404.tif 000006
【図５】
2006081404.tif 000007
【図６】
2006081404.tif 000008
【図７】
2006081404.tif 000009
【図８】
2006081404.tif 000010
【図９】
2006081404.tif 000011
【図１０】
2006081404.tif 000012
【図１１】
2006081404.tif 000013